(57)【要約】【課題】低い周波数帯で動作するＥＢＧマテリアルであっても、小形でスルーホールを必要としないＥＢＧマテリアルを得る。【解決手段】特定周波数帯にバンドギャップを有するＥＢＧマテリアルにおいて、基板３表面上に圧電共振子１を一次元的あるいは二次元的に配列し、隣接する前記圧電共振子同士を容量性リアクタンス要素により電気的に接続する。また、前記容量性リアクタンス要素として、インターディジタルキャパシタ、メアンダライン、チップコンデンサのいずれかを用いる。または、基板３表面上に圧電共振子１を一次元的あるいは二次元的に配列し、圧電共振子１を、各端部間の距離が互いに等間隔となるように配置する。【選択図】図１
2007228222.tif 000002
【特許請求の範囲】
【請求項１】
特定周波数帯にバンドギャップを有するＥＢＧマテリアルにおいて、
基板の表面上に圧電共振子を一次元的あるいは二次元的に配列し、隣接する前記圧電共振子同士を容量性リアクタンス要素により電気的に接続する構造を有する
ことを特徴とするＥＢＧマテリアル。
【請求項２】
請求項１に記載のＥＢＧマテリアルにおいて、
前記容量性リアクタンス要素として、インターディジタルキャパシタを用いた
ことを特徴とするＥＢＧマテリアル。
【請求項３】
請求項１に記載のＥＢＧマテリアルにおいて、
前記容量性リアクタンス要素として、メアンダラインを用いた
ことを特徴とするＥＢＧマテリアル。
【請求項４】
請求項１に記載のＥＢＧマテリアルにおいて、
前記容量性リアクタンス要素として、チップコンデンサを用いた
ことを特徴とするＥＢＧマテリアル。
【請求項５】
特定周波数帯にバンドギャップを有するＥＢＧマテリアルにおいて、
基板の表面上に圧電共振子を一次元的あるいは二次元的に配列し、前記圧電共振子は、各端部間の距離が互いに等間隔となるように配置される
ことを特徴とするＥＢＧマテリアル。
【発明の詳細な説明】
【技術分野】
【０００１】
この発明は、特定周波数帯にバンドギャップを有するＥＢＧマテリアルに関するものである。
【背景技術】
【０００２】
モノポールアンテナの地板の大きさが有限の場合、地板表面に流れる電流が地板端部で回折し、その回折波の影響により、地板裏面への放射が生ずる。そして、この放射により、アンテナ利得の低下及び指向性の乱れが生ずるという問題がある。このような問題を解消するために、フォトニックバンドギャップ（ＰＢＧ）マテリアルまたはエレクトロマグネティックバンドギャップ（ＥＢＧ）マテリアルの一形態である高インピーダンスグランド板を用いたアンテナ装置がある（例えば、特許文献１参照）。
【０００３】
ここで、ＰＢＧマテリアルまたはＥＢＧマテリアルは、誘電体または金属等の物質を波長オーダの周期で二次元または三次元に周期的に配置した構造をとることにより、その内部または平面上で特定周波数帯の電磁波の伝搬、すなわち表面電流の伝搬が禁止されるバンドギャップと呼ばれる周波数領域を形成する構造である。バンドギャップは、マイクロ波帯の電波から光波まで、それぞれ特有の構造によって形成される。
【０００４】
特許文献１に記載のアンテナ装置は、特定周波数帯の電磁波が伝搬する第一の基板と、第一の基板の周辺に設けられ、特定周波数の電磁波の伝搬を阻止するバンドギャップを有する第二の基板からなり、第二の基板は、等間隔に二次元配列された正六角形の金属小板と、第一の基板である金属板がスルーホールで電気的に接続されている。これにより、第一の基板の中心部に設置されたモノポールアンテナが励振する特定周波数の電磁波の裏面反射を抑圧するものである。
【０００５】
従来の高インピーダンスグランド板は、誘電体の表面に六角形の金属小板を周期的に二次元配置し、誘電体の裏面の金属板と金属棒であるスルーホールで電気的に接続することにより、隣接する六角形の金属小板間のギャップが静電容量成分Ｃを形成する。さらに、六角形の金属小板の端部→スルーホール→金属板→スルーホール→金属小板端部の電流経路により、インダクタンス成分Ｌを形成するようにしたものである。
【０００６】
これら静電容量成分Ｃおよびインダクタンス成分Ｌからなるユニットが隣接することにより、ＬＣ並列共振回路が形成される。このＬＣ並列共振回路が金属板上に多数形成されたものがＬＣ共振周波数において高いインピーダンス特性を有すことにより、バンドギャップを形成する。
【０００７】
【特許文献１】特開２００３−３０４１１３号公報（第１頁、図１）
【発明の開示】
【発明が解決しようとする課題】
【０００８】
しかしながら、従来技術には次のような課題がある。従来の高インピーダンスグランド板は、ＬＣ並列共振を利用しており、バンドギャップを形成する周波数である共振周波数は、インダクタンス成分Ｌを形成するスルーホールの長さおよび静電容量成分Ｃを形成する金属小板間の距離に依存する。共振周波数を低い周波数に設定する場合、インダクタンス成分Ｌおよび静電容量成分Ｃは大きな値が必要となる。インダクタンス成分Ｌを増大させるためには、スルーホールを長くすることで対応できるが、これに伴い高インピーダンスグランド板の厚さが大きくなるという課題がある。また、スルーホールは機械加工が必要であり、その加工精度に所望の素子値を得ることができない課題や製造コスト面に課題がある。
【０００９】
この発明は、上述のような課題を解決するためになされたもので、低い周波数帯で動作するＥＢＧマテリアルであっても、小形でスルーホールを必要としないＥＢＧマテリアルを得ることを目的とするものである。
【課題を解決するための手段】
【００１０】
この発明に係るＥＢＧマテリアルは、特定周波数帯にバンドギャップを有するＥＢＧマテリアルにおいて、基板の表面上に圧電共振子を一次元的あるいは二次元的に配列し、隣接する前記圧電共振子同士を容量性リアクタンス要素により電気的に接続する構造を有することを特徴とする。
【００１１】
また、他の発明に係るＥＢＧマテリアルは、特定周波数帯にバンドギャップを有するＥＢＧマテリアルにおいて、基板の表面上に圧電共振子を一次元的あるいは二次元的に配列し、前記圧電共振子は、各端部間の距離が互いに等間隔となるように配置されることを特徴とする。
【発明の効果】
【００１２】
この発明によれば、低い周波数帯で動作するＥＢＧマテリアルであっても、小形でスルーホールを必要としないＥＢＧマテリアルを得ることができる。
【発明を実施するための最良の形態】
【００１３】
実施の形態１．
この発明の実施の形態１に係るＥＢＧマテリアルについて図面を参照しながら説明する。図１は、この発明の実施の形態１に係るＥＢＧマテリアルを示す断面図であり、図２は上面図である。さらに、図３は、圧電薄膜共振子の構造を示す断面図であり、図４は、圧電薄膜共振子の電気的等価回路を示す図であり、図５は圧電薄膜共振子のアドミタンス特性を示す図であり、図６はこの発明の実施の形態１におけるＥＢＧマテリアルの電気的な機能の説明図である。なお、各図中、同一符号は同一又は相当部分を示す。
【００１４】
この発明のＥＢＧマテリアルは、圧電薄膜共振子１、容量性リアクタンス要素２で構成される。圧電薄膜共振子１は、基板３、第一の電極４、圧電体５、第二の電極６で形成されている。
【００１５】
実施の形態１におけるＥＢＧマテリアルの構造について、図１、図２を用いて説明する。実施の形態１におけるＥＢＧマテリアルは、圧電薄膜共振子１が一次元的あるいは二次元的に配列されており、隣接する前記圧電薄膜共振子１の第一の電極４同士が、容量性リアクタンス要素２により電気的に接続されている。
【００１６】
ここで、圧電薄膜共振子１について、図３を用いて説明する。図３のように、圧電薄膜共振子１は、Ｓｉなどの基板の上にＺｎＯやＡｌＮ等の圧電体と電極を薄く形成して共振子とするものである。図３における圧電薄膜共振子は、基板３、第一の電極４、圧電体５、および第二の電極６で構成される。なお、圧電体５は圧電体に限るものではなく、圧電性を有するものを利用した場合も同様の効果を得ることができる。
【００１７】
圧電薄膜共振子１は、バルク波振動を用いた共振子であり、厚み縦振動を利用するものが多い。圧電薄膜共振子１は、基板上に形成されるため、基板に束縛されない自由な振動を得る必要がある。これには、次の２通りの方法がある。一つは、基板を共振子の下部のみエッチングすることで空気との境界を得る方法であり、もう一つは、共振子の下部に音響多層膜を形成してバルク波のブラッグ反射を利用して共振を得るものである。ここでは、図３に示したエッチングを利用した圧電薄膜共振子１について説明するが、ブラッグ反射を利用した圧電薄膜共振子１を利用した場合も、同様の効果を得ることができる。
【００１８】
図４は、圧電薄膜共振子１の電気的等価回路を示す図である。圧電薄膜共振子１の電気的等価回路は、インダクタＬ、コンデンサＣ、抵抗Ｒの直列回路と、これに並列接続されたコンデンサＣ０によって表すことができる。また、各素子値は、圧電体５の厚さによって決定することができる。
【００１９】
図５は、圧電薄膜共振子１のアドミタンス特性を模式的に示す図である。図５の縦軸は圧電薄膜共振子１のアドミタンスの虚部を示している。圧電薄膜共振子１は、共振周波数ｆｒよりも低周波数側や、反共振周波数ｆａよりも高周波数側では、虚部が正のアドミタンスを示し、それ以外では、負のアドミタンスを示す。すなわち、共振周波数ｆｒよりも低周波数側や、反共振周波数ｆａよりも高周波数側では、容量性を示し、それ以外では、誘導性を示す。また、一般に、圧電薄膜共振子１の共振周波数、反共振周波数は数百ＭＨｚ〜数ＧＨｚとなる。共振周波数および反共振周波数は、圧電体５の厚さによって調整することができる。よって、この発明の実施の形態１において、圧電薄膜共振子１は、バンドギャップを形成したい周波数範囲で誘導性を示すように構成することで、バンドギャップの周波数範囲で、インダクタンス要素として用いることができる。
【００２０】
次に、この発明の実施の形態１におけるＥＢＧマテリアルの動作について説明する。実施の形態１によるＥＢＧマテリアルは、隣接する圧電薄膜共振子１同士が容量性リアクタンス要素２により電気的に接続されている。したがって、実施の形態１によるＥＢＧマテリアルを等価回路で示すと、図６（ａ）のようになる（図では抵抗成分は省略している）。しかし、上述したとおり、圧電薄膜共振子１は共振周波数より高く、反共振周波数よりも低い周波数では容量性を示すため、前記周波数における等価回路は、図６（ｂ）とおくことができる。したがって、各セルは、容量性リアクタンス要素とインダクタ要素とからなるため、ＬＣ並列共振回路と考えることができる。
【００２１】
上述のようなＬＣ並列共振回路が多数形成されたものが、ＬＣ共振周波数において高いインピーダンス特性を有するようになる。よって、ＬＣ共振周波数において、インピーダンスが高くなるバンドギャップを形成する。バンドギャップは、特定周波数の電磁波の伝搬を抑制し、バンドギャップの範囲外の周波数帯では、金属板としてふるまう。
【００２２】
実施の形態１におけるＥＢＧマテリアルは、ＬＣ共振周波数において、次の二つの特徴を有する。
１）ＥＢＧマテリアルに入射した電磁波は、同相で反射される（通常の金属板では、逆相で反射される）。
２）ＥＢＧマテリアルには、ＬＣ共振周波数およびその近傍の周波数成分を有する表面電流が流れない。
【００２３】
また、ＬＣ共振周波数は、インダクタ要素のインダクタンスと容量性リアクタンス要素の静電容量で決定することができる。上記インダクタンスは、圧電薄膜共振子１の圧電体５の厚さで調整することができるため、所望のインダクタンスを容易に得ることができる。
【００２４】
さらに、低周波数でバンドギャップを形成させるためには、上記インダクタンスを大きくしなければならない。したがって、従来の構造では、電流経路であるスルーホールを長くしなくてはならず、素子のサイズが大きくなってしまう問題がある。
【００２５】
これに対して、この発明の実施の形態１のＥＢＧマテリアルは、圧電薄膜共振子１の圧電体５の厚さを調整することでインダクタンスを大きくすることができる。一般に、圧電体５は、数μｍ程度であるため、スルーホールを用いる従来の構造より、小形化することができる。
【００２６】
また、スルーホールは機械加工を必要とするため、加工精度により所望のインダクタンスを得られない問題や、製造コストが高くなる問題があるが、実施の形態１のＥＢＧマテリアルはスルーホールを必要としないため、上記の問題も克服できる。
【００２７】
実施の形態２．
この発明の実施の形態２では、容量性リアクタンス要素２の具体例として、インターディジタルキャパシタ７を用いる場合について説明する。図７は、この発明の実施の形態２におけるＥＢＧマテリアルを示す図である。実施の形態１の構成図である図２と比較すると、図７は、圧電体５上に容量性リアクタンス要素２としてインターディジタルキャパシタ７が形成されている。ＥＢＧマテリアルの動作原理については実施の形態１と同様であり、説明は省略する。
【００２８】
次に、容量性リアクタンス要素２として用いるインターディジタルキャパシタ７について、図面を参照しながら説明する。図８は、この発明の実施の形態２における容量性リアクタンス要素２に相当するインターディジタルキャパシタ７の構成を示す図である。図８におけるインターディジタルキャパシタ７は、少なくとも２本以上の電極指８により構成されている。少なくとも２本以上の電極指８を互いに交差するように配置することにより、コンデンサとして動作する。インターディジタルキャパシタ７の静電容量は、電極指８の本数、幅、長さ、あるいは隣接する電極指８の間隔により決定することができる。したがって、これらを調整することで所望の静電容量を容易に得ることができる。
【００２９】
図７では、インターディジタルキャパシタ７を圧電体５の上に形成しているが、これに限るものではなく、誘電体等の別の基板上にインターディジタルキャパシタを形成し、圧電薄膜共振子１に接続しても同様の効果を得ることができる。
【００３０】
実施の形態３．
本実施の形態３では、容量性リアクタンス要素２の具体例として、メアンダライン９を用いる場合について説明する。図９は、この発明の実施の形態３におけるＥＢＧマテリアルを示す図である。実施の形態１の構成図である図２と比較すると、図９は圧電体５上に容量性リアクタンス要素２としてメアンダライン９が形成されている。ＥＢＧマテリアルの動作原理については実施の形態１と同様であり、説明は省略する。
【００３１】
メアンダライン９は、線路パターンとして形成することができるので、所望の静電容量を容易に得ることが可能となる。
【００３２】
図９では、メアンダライン９を圧電体５の上に形成しているが、これに限るものではなく、誘電体等の別の基板上にメアンダライン９を形成し、薄膜圧電共振子１に接続しても同様の効果を得ることができる。
【００３３】
実施の形態４．
本実施の形態４では、容量性リアクタンス要素２の具体例として、チップコンデンサ１０を用いる場合について説明する。図１０は、この発明の実施の形態３におけるＥＢＧマテリアルを示す図である。実施の形態１の構成図である図２と比較すると、図１０は容量性リアクタンス要素２として、チップコンデンサ１０を備えている。ＥＢＧマテリアルの動作原理については実施の形態１と同様であり、説明は省略する。
【００３４】
実施の形態２および３と比較すると、本実施の形態４のＥＢＧマテリアルは、容量性リアクタンス要素２としてチップコンデンサ１０を用いており、より簡単な構造により、同様の効果を得ることができる。
【００３５】
チップコンデンサは一般に小形で高いＱ値を得ることができる。したがって、チップコンデンサを用いることで、低損失な特性が得られ、かつ小形化なＥＢＧマテリアルを得ることができる。
【００３６】
実施の形態５．
図１１は、この発明の実施の形態５におけるＥＢＧマテリアルの断面図である。また、図１２は、この発明の実施の形態５におけるＥＢＧマテリアルの上面図である。
【００３７】
この発明の実施の形態５におけるＥＢＧマテリアルは、隣接する圧電薄膜共振子１の各端部の距離が互いに等間隔となるよう配置されて構成される。圧電薄膜共振子１は、基板３、第一の電極４、圧電体５、第二の電極６で形成されている。
【００３８】
実施の形態５におけるＥＢＧマテリアルの構造について、図１１、図１２を用いて説明する。実施の形態５におけるＥＢＧマテリアルは、圧電薄膜共振子１が一次元的あるいは二次元的に周期配列されている。また、隣接する前記圧電薄膜共振子１は、互いに近づけて配置され、前記圧電薄膜共振子が結合するようになっている。
【００３９】
図１１に示すように、圧電薄膜共振子１の第一の電極４は、隣接する圧電薄膜共振子１の第一の電極４と結合し、容量性リアクタンス要素を形成する。一方、上述したとおり、圧電薄膜共振子１は、共振周波数ｆｒよりも低周波数側や、反共振周波数ｆａよりも高周波数側では、容量性を示し、それ以外では、誘導性を示すため、共振周波数ｆｒよりも高周波数側かつ反共振周波数ｆａよりも低周波数側では、インダクタンス要素となる。したがって、実施の形態５によるＥＢＧマテリアルは、容量性リアクタンス要素とインダクタンス要素とが一次元的あるいは二次元的に配列されたＬＣ共振回路と考えることができる。
【００４０】
上述のようなＬＣ並列共振回路が多数形成されたものが、ＬＣ共振周波数において高いインピーダンス特性を有するようになる。よって、ＬＣ共振周波数において、インピーダンスが高くなるバンドギャップを形成する。バンドギャップは、電磁波の表面伝搬を抑制し、バンドギャップの範囲外の周波数帯では、金属板としてふるまう。
【００４１】
ＬＣ共振周波数は、インダクタンス要素のインダクタンスと容量性リアクタンス要素の静電容量で決定することができる。上記インダクタンスは、圧電薄膜共振子１の圧電体５の厚さで調整することができるため、所望のインダクタンスを容易に得ることができる。また、上記静電容量は、隣接する圧電薄膜共振子１の第一の電極４間の距離で調整することができるため、所望の静電容量を容易に得ることができる。
【００４２】
さらに、低周波数でバンドギャップを形成させるためには、上記インダクタンスを大きくしなければならない。しかし、従来の構造では、電流経路であるスルーホールを長くしなくてはならず、素子のサイズが大きくなってしまう問題がある。
【００４３】
これに対して、この発明の実施の形態５のＥＢＧマテリアルは、薄膜圧電共振子１の圧電体５の厚さを大きくすることでインダクタンスを大きくすることができる。一般に圧電体５の厚さは、数μｍ程度であるため、小形化を実現することができる。
【００４４】
また、スルーホールは機械加工を必要とし、加工精度により所望のインダクタンスを得られない問題や、製造コストが高くなる問題があるが、実施の形態１のＥＢＧマテリアルはスルーホールを必要としないため、上記の問題も克服できる。
【００４５】
また、容量性リアクタンス要素を別途備える必要がないため、小形化、および製造コストのさらなる低減が可能となる。
【００４６】
実施の形態６．
図１３は、この発明の実施の形態６におけるＥＢＧマテリアルの断面図である。実施の形態６のＥＢＧマテリアルは、隣接する圧電薄膜共振子１の各端部の距離が互いに等間隔となるよう配置されて構成される。圧電薄膜共振子１は、基板３、第一の電極４、圧電体５、第二の電極６で形成されている。
【００４７】
実施の形態６におけるＥＢＧマテリアルの構造について、図１３を用いて説明する。実施の形態６におけるＥＢＧマテリアルは、圧電薄膜共振子１が一次元的あるいは二次元的に周期配列されている。また、隣接する前記圧電薄膜共振子１は、互いに近づけて配置され、前記圧電薄膜共振子が結合するようになっている。
【００４８】
図１３に示すように、圧電薄膜共振子１の圧電体５は、第一の電極４の下部は分極されており、第一の電極４の無い部分は未分極である。圧電体５を上記のように構成することにより、圧電薄膜共振子１の第一の電極４は隣接する圧電薄膜共振子１の第一の電極４と強い結合をすることとなる。ＥＢＧの動作原理については、上述と同様なのでここでは省略する。
【００４９】
以上説明したように、この発明によれば、低い周波数領域において、電磁波の伝搬、すなわち表面電流の伝搬が禁止されるバンドギャップと呼ばれる周波数領域を形成するＥＢＧマテリアルを小形に実現することが可能となる。また、製造コストを低減することが可能となる。
【００５０】
なお、この発明の実施の形態１〜６の構造を、左手系伝送線路として用いることも可能である。左手系伝送線路は、ある周波数帯で、負の透磁率と負の誘電率を満たすものであり、その結果位相速度と群速度の位相が逆相となる後退波が伝搬する線路である。
【００５１】
この発明の好ましい適用例は、衛星通信機器、移動体通信機器、無線通信機器、高周波通信機器、あるいは、上記の基地局等に用いられる回路要素であって、回路基板、共振器、発振器、方向性結合器、分岐路、フィルタ、デュプレクサ、またはそれらの複合回路等である。
【図面の簡単な説明】
【００５２】
【図１】この発明の実施の形態１に係るＥＢＧマテリアルを示す断面図である。
【図２】図１の上面図である。
【図３】圧電薄膜共振子の構造を示す断面図である。
【図４】圧電薄膜共振子の電気的等価回路を示す図である。
【図５】圧電薄膜共振子のアドミタンス特性を示す図である。
【図６】この発明の実施の形態１におけるＥＢＧマテリアルの電気的な機能の説明図である。
【図７】この発明の実施の形態２におけるＥＢＧマテリアルを示す図である。
【図８】この発明の実施の形態２における容量性リアクタンス要素２に相当するインターディジタルキャパシタ７の構成を示す図である。
【図９】この発明の実施の形態３におけるＥＢＧマテリアルを示す図である。
【図１０】この発明の実施の形態３におけるＥＢＧマテリアルを示す図である。
【図１１】この発明の実施の形態５におけるＥＢＧマテリアルの断面図である。
【図１２】この発明の実施の形態５におけるＥＢＧマテリアルの上面図である。
【図１３】この発明の実施の形態６におけるＥＢＧマテリアルの断面図である
【符号の説明】
【００５３】
１  圧電薄膜共振子、２  容量性リアクタンス要素、３  基板、４  第一の電極、５  圧電体、６  第二の電極、７  インターディジタルキャパシタ、８  電極指、９  メアンダライン、１０  チップコンデンサ。
【図１】
2007228222.tif 000003
【図２】
2007228222.tif 000004
【図３】
2007228222.tif 000005
【図４】
2007228222.tif 000006
【図５】
2007228222.tif 000007
【図６】
2007228222.tif 000008
【図７】
2007228222.tif 000009
【図８】
2007228222.tif 000010
【図９】
2007228222.tif 000011
【図１０】
2007228222.tif 000012
【図１１】
2007228222.tif 000013
【図１２】
2007228222.tif 000014
【図１３】
2007228222.tif 000015